(57)【特許請求の範囲】
【請求項１】
周囲を壁板で囲まれて前面側が開口した本体と、
前記本体の壁板に設けられた蝶番を介し、前記本体の開口を開閉可能な扉体と、
錠前装置及び錠受装置からなる施錠装置と、
を有し、前記本体と前記扉体とを施錠可能な遊技台であって、
前記本体の底面縁部には、前記扉体を底面から支持し、上面に向けて突出する軸部を有する扉体支持板部が設けられ、
前記扉体には、前記軸部を嵌入する軸受部を有し、前記扉体を前記軸部に上方から嵌め込むことで前記扉体と前記本体とが接合され、
前記扉体には、前記本体に向けて突出する塞口部を有し、
前記塞口部には、前記本体に向けて突出する突出部を有し、
前記本体の前記壁板は、少なくとも上面板を有するものであり、
前記上面板は、開口縁に切欠部を有し、
前記本体と前記扉体とが施錠している位置にあるときに、前記塞口部は前記切欠部を塞ぐものであり、
前記本体は、前記上面板の下方に板金部材を有するものであり、
前記上面板と前記板金部材との間には間隙部を有するものであり、
前記本体と前記扉体とを閉じた状態から離間する方向に、前記軸部を中心として前記扉体を回動させたとき、所定の回動量を超えるまでの間、前記突出部が前記間隙部に収容されることにより前記接合が少なくとも解除不可能に構成されている、
ことを特徴とする遊技台。
【請求項２】
請求項１に記載の遊技台であって、
前記軸部が形成される側の前記本体の開口縁の下面部には、
前記軸部の周囲に向かって前記本体の底面縁部から前記扉体へ突出した底面板部を備えた、
ことを特徴とする遊技台。
【発明の詳細な説明】
【技術分野】
【０００１】
本発明は、スロットマシン（パチスロ機）やパチンコ機に代表される遊技台に関し、詳しくは、施錠装置周辺の安全性を高めた遊技台に関する。
【背景技術】
【０００２】
従来、スロットマシン等の遊技台は、例えば、リールユニット、メダルを払い出すホッパーユニット、各装置に電力を供給する電源ボックス等が収容される筐体と、筐体の前面側に開閉可能に設けられる前扉と、を備えている。
【０００３】
しかし、筐体と前扉とが密に閉鎖されるように形成されているものの、遊技店に設置するなどの搬入作業などにおいては、筐体に形成された取っ手以外にも扉体の上方部を手で押さえながら筐体を移動したりする場合があった。
【０００４】
例えば、搬入作業の場合、扉体の一部を手で押さえながら搬入する場合が考えられた。ところが、スロットマシンの扉体は軸部を中心に回動するため、その軸部に対し、上方から軸受け部を嵌め込むといった構造が主流であり、上記のようなスロットマシンを上側へ持ち上げる際に、扉体に手をかける場合には、軸部と軸受部がはずれてしまい、部品の破損や、作業者が思わぬケガを負ってしまう場合が考えられた。
【０００５】
また、例えば図１５に示すように、スロットマシン１００は、前扉（扉体）である前面扉１０２の一方の側縁を、筐体である本体１０１の一方の側縁に蝶着している。このため、蝶着された側縁とは反対側の側縁、即ち、自由端側の側縁と本体１０１との間に、僅かではあるが隙間が生じることが避けられなかった。このため、悪意を持つ者が、この隙間からピアノ線などの異物Ｐを挿入して施錠装置を解錠し、不正行為を働くことが可能であった。即ち、本体１０１に対して開閉可能に蝶着した前面扉の間に生じた隙間に上方から異物Ｐを挿入して、錠前装置を操作して、前面扉１０２が開放可能になっていた。また、異物Ｐを、スロットマシン１００の側方から挿入することも可能であった。
【０００６】
そこで、ピアノ線等の挿入を阻止するために、筐体が前扉と突き合わされる前端面より前方に突出する壁を形成するように、当該筐体に縁部を設けた遊技台が開示されている（例えば特許文献１参照）。
【先行技術文献】
【特許文献】
【０００７】
【特許文献１】特開平１１−２００６８７号公報
【発明の概要】
【発明が解決しようとする課題】
【０００８】
しかしながら、特許文献１に記載のような従来の遊技台においては、筐体が前扉と突き合わさる開口縁に、扉体の回転軌跡が本体側に向かうほど、回転が困難になる。ある程度のあそびが必要であるが、不正防止の観点から、隙間なく臨むように構成しなければならない。
【０００９】
本発明は、上記のような問題点に鑑み、扉体の軸部の設計自由度を高めながら、不正器具の挿入の防止を図った遊技台を提供することを目的とする。
【課題を解決するための手段】
【００１０】
本発明は上記の目的を達成するために、周囲を壁板で囲まれて前面側が開口した本体と、前記本体の壁板に設けられた蝶番を介し、前記本体の開口を開閉可能な扉体と、錠前装置及び錠受装置からなる施錠装置と、を有し、前記本体と前記扉体とを施錠可能な遊技台であって、前記本体の底面縁部には、前記扉体を底面から支持し、上面に向けて突出する軸部を有する扉体支持板部が設けられ、前記扉体には、前記軸部を嵌入する軸受部を有し、前記扉体を前記軸部に上方から嵌め込むことで前記扉体と前記本体とが接合され、前記扉体には、前記本体に向けて突出する塞口部を有し、前記塞口部には、前記本体に向けて突出する突出部を有し、前記本体の前記壁板は、少なくとも上面板を有するものであり、前記上面板は、開口縁に切欠部を有し、前記本体と前記扉体とが施錠している位置にあるときに、前記塞口部は前記切欠部を塞ぐものであり、前記本体は、前記上面板の下方に板金部材を有するものであり、前記上面板と前記板金部材との間には間隙部を有するものであり、前記本体と前記扉体とを閉じた状態から離間する方向に、前記軸部を中心として前記扉体を回動させたとき、所定の回動量を超えるまでの間、前記突出部が前記間隙部に収容されることにより前記接合が少なくとも解除不可能に構成されている、ことを特徴とする。
【発明の効果】
【００１１】
本発明によれば、扉体の軸部の設計自由度を高めながら、不正器具の挿入の防止を図った遊技台を提供することができる。
【図面の簡単な説明】
【００１２】
【図１】スロットマシン１００の外観斜視図を示したものである。
【図２】前面扉１０２を本体１０１から取り外し分解した状態を内側から見た斜視図である。
【図３】本体１０１から前面扉１０２を取り外し分解した状態を示す斜視図である。
【図４】本体１０１の開口縁に板金部材を取り付け、図３における右側から見た斜視図である。
【図５】前面扉１０２を左側部の板金部材３１１側から見た側面図である。
【図６】前面扉１０２および本体１０１を対向させて示す斜視図である。
【図７】図６の前面扉１０２から板金部材３１２および前面扉側ヒンジ部２７６を分解して示す斜視図である。
【図８】図７の板金部材３１２および前面扉側ヒンジ部２７６を拡大して示す斜視図である。
【図９】図８の前面扉側ヒンジ部２７６を拡大して示す斜視図である。
【図１０】前面扉１０２を本体１０１に蝶着させる様子を示す斜視図である。
【図１１】前面扉１０２を本体１０１に蝶着させた様子を示す斜視図である。
【図１２】図１１の丸で囲んだ部分Ａを拡大して示す斜視図である。
【図１３】前面扉１０２を閉じたときの前面扉１０２と本体１０１との接合部を側方から見た図であり、（ａ）は軸部３２５の周辺を示す図であり、（ｂ）は突出部３５０の周辺を示す図である。
【図１４】前面扉１０２を閉じたときの前面扉１０２と本体１０１との接合部の、塞口部３６０の周辺を上方から見た図である。
【図１５】従来の遊技台を、図１４の方向Ｂ−Ｂに相当する位置から見た図である。
【図１６】本発明に係るスロットマシン１００を、図１４の方向Ｂ−Ｂから見た図である。
【図１７】図１６の丸で囲んだ部分Ｃを拡大して示す概略図であり、（ａ）は図１６の丸で囲んだ部分Ｃを示す図であり、（ｂ）は図１６の丸で囲んだ部分Ｃの別の例を示す図である。
【発明を実施するための形態】
【００１３】
以下、図面を用いて、本発明の実施例に係るスロットマシン（遊技台）について詳細に説明する。
【００１４】
＜全体構成＞
まず、図１を用いて、本発明に係るスロットマシン１００の全体構成について説明する。なお、同図はスロットマシン１００の外観斜視図を示したものである。
【００１５】
図１に示すスロットマシン１００は、筐体である本体１０１と、本体１０１の正面に取付けられ、本体１０１に対して開閉可能な前扉（扉体）である前面扉１０２と、を備える。本体１０１の中央内部には、外周面に複数種類の図柄が配置されたリールが３個（左リール１１０、中リール１１１、右リール１１２）収納され（図１では位置のみを示し図示を省略している）、スロットマシン１００の内部で回転できるように構成されている。これらのリール１１０乃至１１２はステッピングモータ等の駆動装置（図示省略）により回転駆動される。
【００１６】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１７】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部および受光部から成る光学式センサ（図示省略）が設けられており、この光学式センサの投光部と受光部との間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１８】
入賞ライン表示ランプ１２０（図１では位置のみを示し図示を省略している）は、有効となる入賞ラインを示すランプである。有効となる入賞ラインは、遊技媒体としてベットされたメダルの数によって予め定まっている。入賞ラインは５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ラインの数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１９】
告知ランプ１２３は、例えば、内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８（図１では位置のみを示し図示を省略している）は演出用のランプである。
【００２０】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００２１】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。
【００２２】
貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００２３】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２４】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２５】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。
【００２６】
ドアキー孔１４０は、スロットマシン１００の前面扉１０２のロックを、施錠するまたは施錠を解除するためのキーを挿入する孔である。
【００２７】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２８】
前面扉１０２の左右各部に設けられたサイドランプ１４４は遊技を盛り上げるための装飾用のランプである。
【００２９】
前面扉１０２の音孔１４３ａおよび１４３ｂはスロットマシン１００内部に設けられているスピーカ（図示省略）の音を外部に出力するための孔である。前面扉１０２の上部には演出装置１６０が配設されており、演出装置１６０の上部には音孔１４３ａが設けられ、メダル払出口１５５の横には音孔１４３ｂが設けられている。
【００３０】
この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置（演出画像表示装置）１５７（図１では位置のみを示し図示を省略している）を備えており、右シャッタ１６３ａ、左シャッタ１６３ｂが液晶表示装置１５７の手前で水平方向外側に開くと液晶表示装置１５７の表示画面がスロットマシン１００正面（遊技者側）に出現する構造となっている。なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００３１】
図２は、前面扉１０２を本体１０１から取り外し分解した状態を内側から見た斜視図である。
【００３２】
前面扉１０２は、枠部材３１０に対し、図柄表示窓１１３と演出装置１６０との間の位置で支持、補強する板金部材３１４と、上部を支持、補強する板金部材３１３と、下部を支持、補強する板金部材３１５と、を取り付け、さらに、左側部を支持、補強する板金部材３１１と、右側部を支持、補強する板金部材３１２と、を取り付けて成る。
【００３３】
前面扉１０２の板金部材３１１は、ドアキー孔１４０と連動し、本体１０１に設けた錠受装置３０１（図３参照）との間で施錠するまたは施錠を解除する錠前装置３００を有する。
【００３４】
前面扉１０２の板金部材３１２は、上部に前面扉側ヒンジ部２７６を有し、下部に、貫通孔である軸受部３１２ｂを有する板金部材３１２ａを設けている。前面扉１０２は、本体１０１の左側の側面板２６０ａ（図３参照）に前面扉側ヒンジ部２７６を介して蝶着される。
【００３５】
枠部材３１０の右上部には、詳しくは後述する、本体１０１側に突出する板状の突出部３５０を有する。
【００３６】
図３は、本体１０１から前面扉１０２を取り外し分解した状態を示す斜視図である。
【００３７】
本体１０１は、上面板２６１、左側の側面板２６０ａ、右側の側面板２６０ｂ、下面板２６４および背面板２４２で囲われ、前面に開口する箱体である。本体１０１の内部には、主制御基板（図示省略）等を収容する。
【００３８】
側面板２６０ａの開口縁の内側には開口縁の支持、補強を行う板金部材３２１を有し、側面板２６０ｂの開口縁の内側には開口縁の支持、補強を行う板金部材３２２を有し、上面板２６１の開口縁の内側には開口縁の支持、補強を行う板金部材３２３を有し、下面板２６４の開口縁の内側には開口縁の支持、補強を行う板金部材３２４を有する。
【００３９】
板金部材３２２は、前面扉１０２の錠前装置３００との間で施錠するまたは施錠を解除する錠受装置３０１を有する。錠前装置３００と錠受装置３０１とから成る施錠装置は、錠前装置３００に設けられてドアキー孔１４０と連動するフック３００ａ（図５参照）を、錠受装置３０１に掛けることによって施錠をする。
【００４０】
図４は、本体１０１の開口縁に板金部材を取り付け、図３における右側から見た斜視図である。
【００４１】
板金部材３２１は、上部に本体側ヒンジ部３３０を有し、下部に軸部３２５を有する。
【００４２】
前面扉側ヒンジ部２７６と本体側ヒンジ部３３０とでヒンジ装置（蝶番）を構成する。
【００４３】
軸部３２５へは、前面扉１０２の軸受部３１２ｂが上方から嵌め込まれる。軸部３２５は、板金部材３２１の下部に固定された板金部材である扉体支持板部３２５ａ上に設けている。この扉体支持板部３２５ａは、軸部３２５の周囲に向かって本体１０１の底面の縁部から前面扉１０２へ突出した底面板部である。扉体支持板部３２５ａ上の軸部３２５には、例えば樹脂製で平板のリング形状のスペーサ３２５を設けている。
【００４４】
前面扉１０２は、その軸受部３１２ｂを本体１０１の軸部３２５に嵌め込んだ後に、本体１０１の左側の側面板２６０ａの本体側ヒンジ部３３０に、前面扉側ヒンジ部２７６を嵌め込むことによって、１軸ヒンジを形成し、軸部３２５を中心にして回動自在に蝶着される。このとき、スペーサ３２５前面扉１０２の底部と扉体支持板部３２５ａとの間に介在するので、スムーズな回動を行うことができる。
【００４５】
図５は、前面扉１０２を左側部の板金部材３１１側から見た側面図である。
【００４６】
上述のように、板金部材３１１はドアキー孔１４０と連動するフック３００ａを有する錠前装置３００を有する。
【００４７】
図５では施錠状態を示しており、この施錠状態では、フック３００ａは左側の軸を中心に時計回りに回動してほぼ水平に位置し錠受装置３０１に掛かる。施錠装置による施錠を解除すると、フック３００ａは、図５の状態から、左側の軸を中心に反時計回りに回動してほぼ垂直に位置し、錠受装置３０１から外れる。
【００４８】
図６は、前面扉１０２および本体１０１を対向させて示す斜視図である。
【００４９】
図７は、図６の前面扉１０２から板金部材３１２および前面扉側ヒンジ部２７６を分解して示す斜視図である。
【００５０】
図８は、図７の板金部材３１２および前面扉側ヒンジ部２７６を拡大して示す斜視図である。
【００５１】
図９は、図８の前面扉側ヒンジ部２７６を拡大して示す斜視図である。
【００５２】
上述のように、前面扉１０２の左側部すなわち本体１０１と蝶着する側の板金部材３１２の上部には前面扉側ヒンジ部２７６が固定される。
【００５３】
図８および図９を参照すると、前面扉側ヒンジ部２７６は、第１部材３４０のネジ部材３４０ｂを、第２部材３４２の貫通孔３４２ａに貫通させ、さらに第３部材３４３の貫通孔３４３ａに貫通させ、その後、第４部材３４４のネジ穴３４４ａにネジ止めする。
【００５４】
第１部材３４０のフック部３４０ｂと第２部材３４２のフック部３４２ｂとの間には互いの距離を近づける方向に弾性力を発揮するバネ部材３４１を取り付けてある。
【００５５】
図１０は、前面扉１０２を本体１０１に蝶着させる様子を示す斜視図である。
【００５６】
図１１は、前面扉１０２を本体１０１に蝶着させた様子を示す斜視図である。
【００５７】
図１２は、図１１の丸で囲んだ部分Ａを拡大して示す斜視図である。
【００５８】
上述のように、前面扉１０２を本体１０１に蝶着させるときには、まず本体１０１の軸部３２５へ、前面扉１０２の軸受部３１２ｂを上方から嵌め込む。その後、本体１０１の本体側ヒンジ部３３０に、前面扉１０２の前面扉側ヒンジ部２７６を嵌め込み蝶着する。
【００５９】
なお、前面扉１０２の上部の突出部３５０や、後述するように本体１０１の上面板２６１の開口縁の切欠部３８０を塞ぐ塞口部３６０は、前面扉１０２を本体１０１に蝶着させるときには、本体１０１に接触することがない。
【００６０】
前面扉１０２を本体１０１に蝶着させた後、前面扉１０２を閉じるときには、前面扉１０２を、軸部３２５を軸にして回動させる。
【００６１】
このとき、１軸ヒンジである本体側ヒンジ部３３０と前面扉側ヒンジ部２７６とによる前面扉１０２の回動軌跡は、本体１０１の上面板２６１に食い込むようなものであるため、上面板２６１がこの回動の邪魔にならないように、上面板２６１には、切欠部３８０を設けている。
【００６２】
また、板部材である上面板２６１と、板金側板部である板金部材３２３との間には間隙部３７０を設けており、前面扉１０２を閉じたときに突出部３５０がこの間隙部３７０に収容されるようにしている。
【００６３】
また、前面扉１０２を閉じたとき、上面板２６１の切欠部３８０は塞口部３６０によって塞がれる（図１４参照）。
【００６４】
図１３は、前面扉１０２を閉じたときの前面扉１０２と本体１０１との接合部を側方から見た図であり、（ａ）は軸部３２５の周辺を示す図であり、（ｂ）は突出部３５０の周辺を示す図である。
【００６５】
図１３（ａ）を参照して分かるように、軸受部３１２ｂには軸部３２５が嵌っているため、これにより前面扉１０２と本体１０１との水平方向（左右方向）の動きを規制している。
【００６６】
また、図１３（ｂ）を参照して分かるように、上面板２６１と板金部材３２３とによって形成された間隙部３７０に、突出部３５０が収容されているため、これにより前面扉１０２と本体１０１との鉛直方向（上下方向）の動きを規制している。すなわち、前面扉１０２の軸部３２５からの抜けを防いでいる。
【００６７】
図１４は、前面扉１０２を閉じたときの前面扉１０２と本体１０１との接合部の、塞口部３６０の周辺を上方から見た図である。
【００６８】
図１５は、従来の遊技台を、図１４の方向Ｂ−Ｂに相当する位置から見た図である。
【００６９】
図１６は、本発明に係るスロットマシン１００を、図１４の方向Ｂ−Ｂから見た図である。
【００７０】
図１５を参照して分かるように、従来の遊技台１００では、突出部３５０を有しておらず、前面扉１０２を閉じた状態であっても、ピアノ線などの異物Ｐの侵入を阻むことができなかった。
【００７１】
これに対して、本発明に係るスロットマシン１００では、図１６を参照して分かるように、突出部３５０が本体１０１の間隙部３７０に深く入り込んでいる。このため、前面扉１０２を閉じた状態でピアノ線などの異物Ｐを内部に侵入させるには、図１６に示すように極端に屈曲させなければならず、これは現実的に不可能な状態であり、本発明に係るスロットマシン１００によれば、異物Ｐの侵入を阻むことができるという効果を奏する。
【００７２】
図１７は、図１６の丸で囲んだ部分Ｃを拡大して示す概略図であり、（ａ）は図１６の丸で囲んだ部分Ｃを示す図であり、（ｂ）は図１６の丸で囲んだ部分Ｃの別の例を示す図である。
【００７３】
図１７（ａ）の例では、上面板２６１の下面に段差を設け、板金部材３２３の上面は平坦にして、この上面板２６１および板金部材３２３で間隙部３７０を形成している。
【００７４】
本体１０１の板金部材３２３の、前面扉１０２側に向いた端部を位置Ｄとし、本体１０１の上面板２６１の、前面扉１０２側に向いた端部を位置Ｅとし、前面扉１０２の突出部３５０の、本体１０１側に向いた端部を位置Ｆとし、上面板２６１および板金部材３２３によって形成される間隙部３７０の奥壁を位置Ｇとすると、前面扉１０２を閉じたとき、図１７（ａ）に示すように、位置Ｆは位置Ｅよりも位置Ｇ側に位置し、また位置Ｆは位置Ｄよりも位置Ｇ側に位置する。
【００７５】
この構成により、前面扉１０２を閉じたとき、ピアノ線などの異物の侵入を阻むことができるという効果を奏する。
【００７６】
図１７（ｂ）の例では、上面板２６１の下面は平坦にし、板金部材３２３の上面に段差を設け、この上面板２６１および板金部材３２３で間隙部３７０を形成している。
【００７７】
本体１０１の板金部材３２３の、前面扉１０２側に向いた端部を位置Ｄとし、本体１０１の上面板２６１の、前面扉１０２側に向いた端部を位置Ｅとし、前面扉１０２の突出部３５０の、本体１０１側に向いた端部を位置Ｆとし、上面板２６１および板金部材３２３によって形成される間隙部３７０の奥壁を位置Ｇとすると、前面扉１０２を閉じたとき、図１７（ｂ）に示すように、位置Ｆは位置Ｅよりも位置Ｇ側に位置し、また位置Ｆは位置Ｄよりも位置Ｇ側に位置する。
【００７８】
この構成により、前面扉１０２を閉じたとき、ピアノ線などの異物の侵入を阻むことができるという効果を奏する。
【００７９】
なお、上面板２６１の下面に段差を設け、さらに板金部材３２３の上面にも段差を設け、この上面板２６１および板金部材３２３で間隙部３７０を形成してもよい。この構成によっても、前面扉１０２を閉じたとき、ピアノ線などの異物の侵入を阻むことができるという効果を奏する。
【００８０】
以上説明した実施例では、本発明を、スロットマシン１００に適用した場合について説明したが、本発明はこれに限られるものではなく、遊技台の別例としてパチンコ機にも適用可能である。
【００８１】
＜付記＞
なお、以上説明した本発明は、
１．  周囲を壁板で囲まれて前面側が開口した本体と、
前記本体の壁板に設けられた蝶番を介し、前記本体の開口を開閉可能な扉体と、
錠前装置及び錠受装置からなる施錠装置と、
を有し、前記本体と前記扉体とを施錠可能な遊技台であって、
前記本体の底面縁部には、前記扉体を底面から支持し、上面に向けて突出する軸部を有する扉体支持板部が設けられ、
前記扉体には、前記軸部を嵌入する軸受部を有し、前記扉体を前記軸部に上方から嵌め込むことで前記扉体と前記本体とが接合され、
前記扉体には、前記本体に向けて突出する突出部を有し、
前記突出部は、
前記本体と前記扉体とが施錠している位置にあるときに、前記本体の開口縁よりも本体奥側に延びる位置に配置され、
前記本体と前記扉体との施錠が解除され、前記軸部を中心として扉体を回動させて前記開口縁から離間させたときには、所定量の回動量を超えることにより、前記扉体の回動に伴って前記開口縁から手前側に離間して前記扉体と前記本体との接合を解除可能な位置に、配置されている
ことを特徴とする遊技台、としたので、
扉体の軸部の設計自由度を高めながら、不正器具の挿入の防止を図った遊技台を提供することができ、
また、扉が本体から外れてしまうことを防止しながら、不正防止も兼ねることができる。
２．  １．に記載の遊技台において、
前記本体の開口縁には、
前記扉体を前記本体から前記軸部を中心に回動した際の回動軌跡上の領域に対して切欠部を形成し、
前記突出部は、前記切欠部の周縁の端部よりも前記本体奥側に延びて形成されている
ことを特徴とする遊技台、としたので、
軸部の周辺の隙間から不正部材を進入させようとする不正を防ぐことができる場合がある。
３．  １．または２．に記載の遊技台において、
前記軸部が形成される側の前記本体の開口縁の下面部には、
前記軸部の周囲に向かって前記本体底面の縁部から扉体へ突出した底面板部を備えた
ことを特徴とする遊技台、としたので、
軸部の剛性を高めながら、扉が手前側に傾倒するのを防ぐことができる場合がある。
４．  １．乃至３．のうちのいずれか１に記載の遊技台において、
前記本体の開口縁のいずれかの側端には、
板部材で構成された箱体の端部よりも前記扉体に向かって延設した不正侵入防止のための板金側板部を備えており、
前記突出部は、
前記扉体が前記本体の開口を覆う閉鎖位置にあるときには、前記本体の前記板部材と前記板金側板部との間に嵌入される位置に形成されている
ことを特徴とする遊技台、としたので、
扉が本体から外れてしまうことを防止しながら、不正防止も兼ねることができる場合がある。
【産業上の利用可能性】
【００８２】
本発明に係る遊技台は、スロットマシン（パチスロ機）やパチンコ機などに代表される遊技台に適用することができる。
【００８３】
その場合には、
錠前装置及び錠受装置からなる施錠装置と、
を有し、前記本体と前記扉体とを施錠可能なパチンコ遊技機であって、
前記本体の底面縁部には、前記扉体を底面から支持し、上面に向けて突出する軸部を有する扉体支持板部が設けられ、
前記扉体には、前記軸部を嵌入する軸受部を有し、前記扉体を前記軸部に上方から嵌め込むことで前記扉体と前記本体とが接合され、
前記扉体には、前記本体に向けて突出する突出部を有し、
前記突出部は、
前記本体と前記扉体とが施錠している位置にあるときに、前記本体の開口縁よりも本体奥側に延びる位置に配置され、
前記本体と前記扉体との施錠が解除され、前記軸部を中心として扉体を回動させて前記開口縁から離間させたときには、所定量の回動量を超えることにより、前記扉体の回動に伴って前記開口縁から手前側に離間して前記扉体と前記本体との接合を解除可能な位置に、配置されている
ことを特徴とするパチンコ遊技機において適用することができる。
【符号の説明】
【００８４】
１００  スロットマシン
１０１  本体
１０２  前面扉
１１０  左リール
１１１  中リール
１１２  右リール
１１３  図柄表示窓
１２０  入賞ライン表示ランプ
１２１  遊技開始ランプ
１２３  告知ランプ
１２４  メダル投入ランプ
１２５  貯留枚数表示器
１２６  遊技情報表示器
１２７  払出枚数表示器
１２８  リールパネルランプ
１３０  ベットボタン
１３１  ベットボタン
１３２  ＭＡＸベットボタン
１３３  メダル返却ボタン
１３４  精算ボタン
１３５  スタートレバー
１３７〜１３９  ストップボタン
１４０  ドアキー孔
１４１  メダル投入口
１５５  メダル払出口
１６０  演出装置
１６１  メダル受皿
【図１】
0005492632.tif 000002
【図２】
0005492632.tif 000003
【図３】
0005492632.tif 000004
【図４】
0005492632.tif 000005
【図５】
0005492632.tif 000006
【図６】
0005492632.tif 000007
【図７】
0005492632.tif 000008
【図８】
0005492632.tif 000009
【図９】
0005492632.tif 000010
【図１０】
0005492632.tif 000011
【図１１】
0005492632.tif 000012
【図１２】
0005492632.tif 000013
【図１３】
0005492632.tif 000014
【図１４】
0005492632.tif 000015
【図１５】
0005492632.tif 000016
【図１６】
0005492632.tif 000017
【図１７】
0005492632.tif 000018